(57)【特許請求の範囲】
【請求項１】
外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた上方が開口する吸込口に向かって吹き出される冷気によりエアーカーテンを形成することにより、前記冷蔵室を保冷するようにしたオープンショーケースにおいて、
前記冷気吹出口前方に前倒しの傾斜ブラケットを配し、該傾斜ブラケットは、冷蔵室の前面を覆うナイトカバーを載置する受部と傾斜部を有し、キャノピー天板と前記傾斜部で前記ナイトカバーの取着部を収納する空間部を形成し、前記受部に前記ナイトカバーを載置した状態で前記取着部を前記空間部に挿入して、係着手段により固定したことを特徴とするオープンショーケース。
【請求項２】
前記ナイトカバーには、ナイトカバー本体を収納する収納具を有し、該収納具に上向き屈曲片を設け前記取着部とした請求項１に記載のオープンショーケース。
【請求項３】
前記受部に上方を向く係止突起を設け、前記収納具に前記係止突起を掛止可能な下方を向く係合突起を設けた請求項２に記載のオープンショーケース。
【請求項４】
前記空間部は、前記傾斜部と、該傾斜部と平行な前記キャノピー天板に形成された弾性を有する折曲片とで形成されている請求項１乃至３のいずれかに記載のオープンショーケース。
【請求項５】
前記折曲片の先端部を後方に向けて折り返し形成された係止片とし、前記上向き屈曲片の先端部には前記係止片の先端と係合可能な頭部が形成されている請求項４に記載のオープンショーケース。
【発明の詳細な説明】
【技術分野】
【０００１】
本発明は、外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた上方が開口する吸込口に向かって吹き出される冷気によりエアーカーテンを形成することにより、前記冷蔵室を保冷するようにしたオープンショーケースにおいて、特に冷蔵室の前面を覆うナイトカバーの取り付け方法に関する。
【背景技術】
【０００２】
従来の冷蔵室の前面を覆うナイトカバーは、冷蔵室上部の吹出口前方に設けられたブラケットの前面に対して、作業員がブラケットとナイトカバーの取り付け位置（ビス孔等）を確認し、この両位置を重ね合わせた状態を維持しながら、ビス等でナイトカバーをブラケットに共締め係止することで、ブラケットにナイトカバーを固定する作業が行われていた（例えば、特許文献１参照）。
【０００３】
【特許文献１】実願平４−１８１３５号（実開平５−６９５８８号公報）のＣＤ―ＲＯＭ（段落００２３、図２）
【発明の開示】
【発明が解決しようとする課題】
【０００４】
しかしながら、従来公知のナイトカバーの一般的な横幅は３尺（９１５ｍｍ）〜４尺（１２２０ｍｍ）が一般的で、このナイトカバーの取り付けは一人の作業員がナイトカバーを押さえながらブラケット側に仮固定した状態でビス止め作業を行うことで固定作業を行うこともできるが、一人の作業員がナイトカバーを持って位置決めしながらビス止めをする作業は困難であり、通常は少なくとも二人の作業員で作業を行うことが多く、例えば、一方の作業員がナイトカバーを押えブラケット側に仮固定した状態で、他方の作業員がビス止め作業を行い連携しながらナイトカバーの固定作業を行う必要があり、ブラケットからナイトカバーを取り外す際には、ブラケットからナイトカバーの滑り落ちを防ぐため、常に作業員がナイトカバーを押えた状態で安全性を保ちながらビスの取り外し作業を行う必要があり、取り付けおよび取り外し作業に手間と時間が掛かっていた。
【０００５】
本発明は、このような問題点に着目してなされたもので、ナイトカバーの固定作業および取り外し作業における安全性を維持しながら、これら作業を容易に行うことができるオープンショーケースを提供することを目的としている。
【課題を解決するための手段】
【０００６】
上記課題を解決するために、本発明の請求項１に記載のオープンショーケースは、外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた上方が開口する吸込口に向かって吹き出される冷気によりエアーカーテンを形成することにより、前記冷蔵室を保冷するようにしたオープンショーケースにおいて、前記冷気吹出口前方に前倒しの傾斜ブラケットを配し、該傾斜ブラケットは、冷蔵室の前面を覆うナイトカバーを載置する受部と傾斜部を有し、キャノピー天板と前記傾斜部で前記ナイトカバーの取着部を収納する空間部を形成し、前記受部に前記ナイトカバーを載置した状態で前記取着部を前記空間部に挿入して、係着手段により固定したことを特徴としている。
この特徴によれば、キャノピー天板と傾斜ブラケットの傾斜部との間に形成された空間部にナイトカバーの取着部を挿入して、傾斜ブラケットの受部にナイトカバーを載置することで、ナイトカバーを仮止めすることができ、この仮止めの状態によってナイトカバーを押えなくとも、ボルト等の係着手段を用いて取着部を固定できるので、容易にナイトカバーの固定作業を行うことができる。また、ナイトカバーを取り外す際に係着手段を取着部から解除しても、仮止め状態が維持されることから、ナイトカバーの着脱による作業の安全性が保たれる。
【０００７】
本発明の請求項２に記載のオープンショーケースは、請求項１に記載のオープンショーケースであって、前記ナイトカバーには、ナイトカバー本体を収納する収納具を有し、該収納具に上向き屈曲片を設け前記取着部としたことを特徴としている。
この特徴によれば、収納具に取着部を設けたことにより、収納具と取着部を一体化に構成できるので、ナイトカバーの構造の複雑化が避けられ、しかも取着部を上向き屈曲片としたことで空間部の下方から上方に向けて挿入し易く、この取着部が冷蔵室の前面から見えにくい上方の位置に取り付けられるので美観を損ねることもない。
【０００８】
本発明の請求項３に記載のオープンショーケースは、請求項２に記載のオープンショーケースであって、前記受部に上方を向く係止突起を設け、前記収納具に前記係止突起を掛止可能な下方を向く係合突起を設けたことを特徴としている。
この特徴によれば、取着部を空間部に挿入した際に、収納具の係合突起が受部の係止突起で掛止することで、ナイトカバーの仮止め状態をより良好な状態で維持することができる。
【０００９】
本発明の請求項４に記載のオープンショーケースは、請求項１乃至３のいずれかに記載のオープンショーケースであって、前記空間部は、前記傾斜部と、該傾斜部と平行な前記キャノピー天板に形成された弾性を有する折曲片とで形成されていることを特徴としている。
この特徴によれば、キャノピー天板の折曲片の弾性を利用することで、ナイトカバーの取着部が空間部内に挿入し易く、挿入後は折曲片の弾性力により取着部を空間部内で強固に保持できるので、より安定した仮止め状態を保つことができる。
【００１０】
本発明の請求項５に記載のオープンショーケースは、請求項４に記載のオープンショーケースであって、前記折曲片の先端部を後方に向けて折り返し形成された係止片とし、前記上向き屈曲片の先端部には前記係止片の先端と係合可能な頭部が形成されていることを特徴としている。
この特徴によれば、係止片の先端に屈曲片の頭部が係合された仮止め状態においては、取着部の空間部からの取り外れが確実に防止されるとともに、キャノピー天板側でナイトカバーの自重の一部が係止片を介して支持されるので安定した仮止め状態が維持される。
【発明を実施するための最良の形態】
【００１１】
本発明の実施例を以下に説明する。
【実施例１】
【００１２】
図１は、オープンショーケースの全体像を示す側断面図であり、図２は、キャノピー天板を傾斜ブラケットと外箱に組み付ける過程および組み付け前のナイトカバーを示す分解組立断面図であり、図３（ａ）は、キャノピー天板と傾斜ブラケットにナイトカバーを取り付ける際の作業開始位置を示す要部拡大断面図であり、図３（ｂ）は、ナイトカバーの取り付け作業の状態を示す要部拡大断面図であり、図４（ａ）は、ボルトでナイトカバーをキャノピー天板および傾斜ブラケットに固定する作業工程を示す断面図であり、図４（ｂ）は、ナイトカバーの固定後の状態を示す断面図である。
【００１３】
図１に示されるオープンショーケースは、主に商店やスーパーマーケットやコンビニエンスストア等の食品等を取り扱う販売店舗に設置され、商品を低温に保ったまま保冷、または冷凍した状態で陳列するために設置される冷蔵ショーケース１であり、正面側を開口した内箱３により囲まれた冷蔵室８には、商品を陳列する陳列棚７が上下方向に複数設置され、下部に設けられた底板１１にも商品（図示省略）を陳列可能になっており、商品を多数載置可能な構成となっている。以下、本実施例の説明において、図１の冷蔵ショーケース１を対面した状態で見て、手前正面側を右方とし、奥行き側を左方とし、内箱３の開口側を前方とし、閉塞側を後方として説明する。
【００１４】
この冷蔵ショーケース１には、正面側が開口された内箱３と同じく正面側が開口され、内箱３を囲繞するように設けられた外箱２とからなり、正面側が開口された外箱２と、同じく正面側が開口され、外箱２により囲まれた内箱３とからなり、外箱２は発砲ウレタン樹脂材等からなる断熱部材と、この断熱部材の表裏面を覆うスチール金属等の表面板と、から構成されている。外箱２と内箱３との間には通風路４が形成され、この通風路４内には、冷却装置５と送風機６を備えている。
【００１５】
冷蔵ショーケース１の下部には、通風路４内に空気を取り込む吸込口９が形成され、冷蔵ショーケース１の上部には、冷却装置５にて冷却された冷気の吹出口１０が形成されている。そこで送風機６の可動によって、冷却装置５によって冷却された冷気が吹出口１０から吸込口９に向けて吹き出され、ショーケース１の前方に内箱３の開口を閉塞する冷気のエアーカーテン１２が形成されるとともに、このエアーカーテン１２の冷気の一部が冷蔵室８内に供給されることで温度を低温に保つことができ、冷蔵室８内の陳列棚７や底板１１に載置される商品（図示省略）を冷蔵（冷凍）した状態で陳列できるようになっている。
【００１６】
吹出口１０の前方位置には、下方に向けて左右幅方向に延びるノジング２５が略鉛直方向に延設されており、吹出口１０の後方位置には、下方に向けて整流板１５が略鉛直方向に延設され、これらノジング２５および整流板１５とで、吹出口１０から吹き出されるエアーカーテン１２の整流が助成されている。ノジング２５の下部前方位置からは、後述する前倒し（ここで言う「前倒し」とは上部が下部より前方にででいることを意味する）の傾斜ブラケット１６が左右幅方向に延設されている。傾斜ブラケット１６の上部はキャノピー天板２０と共に外箱２の天井下面に固定されている。
【００１７】
傾斜ブラケット１６の上部前面には、左右横幅で３尺（９１５ｍｍ）〜４尺（１２２０ｍｍ）のシート状のカバー体３８が巻回されたナイトカバー３０が設けられ、下方に向けてカバー体３８を引き出し可能になっており、例えば、店舗の営業終了後にナイトカバー３０からカバー体３８を下方に向けて引き出し、カバー体３８の下端部を外箱２の開口下部に形成された係止爪２ａに掛止することで、エアーカーテン１２や冷蔵室８内の冷気を極力外部に漏出させることなく、冷蔵室８内の商品を効果的に冷却可能になっている。整流板１５の後方には、冷蔵室８内を照明する蛍光ランプ等の照明装置１４が配設されている。同様に各陳列棚７の前端部下面には、直下の陳列棚７および底板１１に陳列される商品を照明する蛍光ランプ等の照明装置１３が設けられている。
【００１８】
図２に示されるように、ナイトカバー３０は、前述したカバー体３８を備えるナイトカバー本体３５と、このナイトカバー本体３５を収納する側断面視略半円状の収納具３１とで構成されている。ナイトカバー本体３５には、カバー体３８と、そのカバー体３８を自動巻取り可能なバネを内蔵した回転軸３９と、カバー体３８の下端部を連結してカバー体３８を横幅方向に張架する張架部３７と、張架部３７に連結されたカバー体３８の引き出しを行う把手３６と、が設けられている。収納具３１には、取着部に相当する上向き屈曲片３２が後上方に向けて一体で延設することで、ナイトカバー３０の全体の構造の簡素化を図っている。
【００１９】
傾斜ブラケット１６は、スチール等の板金で折り曲げ成形されており、上部には後上方に向けて傾斜するように折り曲げられた受部１８と、この受部１８の後端から直交するように前上方に向けて傾斜するように折り曲げられた傾斜部１７と、この傾斜部１７の上端から外箱２の下面に沿って前方に向けて折り曲げられた連結部１９とから構成され、連結部１９にはネジ貫通孔１９ａが形成されている。外箱２の天井下面には、前後離間された一対のネジ螺合穴２ｂ，２ｂが形成されている。
【００２０】
キャノピー天板２０は、スチール等の板金で折り曲げ成形されており、前述のネジ螺合穴２ｂ，２ｂの前後幅と等距離で前後一対のネジ貫通孔２０ａ，２０ａが形成されている。キャノピー天板２０の後端部には、前述の傾斜ブラケット１６の傾斜部１７と平行な弾性を有する折曲片２１が後下方に向けて折り曲げ形成されている。
【００２１】
キャノピー天板２０を外箱２の天井下面に取り付けるには、一対のネジ２３，２３を用いて、まず外箱２の後方のネジ螺合穴２ｂに連結部１９のネジ貫通孔１９ａを重ね合わせたのち、さらにキャノピー天板２０の後方のネジ貫通孔２０ａを重ね合わせて、ネジ２３を後方のネジ貫通孔２０ａおよびネジ貫通孔１９ａを介して、後方のネジ螺合穴２ｂに向けて螺合する。
【００２２】
次いで、外箱２の前方のネジ螺合穴２ｂにキャノピー天板２０の前方のネジ貫通孔２０ａを重ね合わせ、ネジ２３を前方のネジ貫通孔２０ａに挿通し、前方のネジ螺合穴２ｂに向けて螺合することで、傾斜ブラケット１６の上部とキャノピー天板２０が天板２に連結固定される。このとき、折曲片２１と傾斜部１７との前後間には、ナイトカバー３０の上向き屈曲片３２を収納可能な空間部２７が形成され、上向き屈曲片３２が空間部２７の下方から上方に向けて挿入し易い形状にセットされる。
【００２３】
具体的には、図３（ａ）に示されるように、折曲片２１と傾斜部１７の間には下向きに開口される幅狭の空間部２７が前上方に向けて形成される。前方の折曲片２１にはボルト貫通孔２１ａが形成され、後方の傾斜部１７にはナット１７ａが溶着されおり、両者２１ａ，１７ａは空間部２７を介してボルトが挿通可能な位置関係にある。また上向き屈曲片３２にもボルト貫通孔３２ａが形成されている。
【００２４】
次に、ナイトカバー３０の取り付けについて図３，図４に基づき説明する。図３（ａ）に示されるように、収納具３１を受部１８に載置して移動させながら、上向き屈曲片３２を空間部２７の下方から上方に向けて挿し入れ、さらに、図３（ｂ）に示されるように、収納具３１の外周縁を受部１８に摺接させながら後方に向けて移動していくと、徐々に上向き屈曲片３２によって折曲片２１が下端側から前方に向けて押し広げられていく。
【００２５】
この折曲片２１が弾性変形することで、上向き屈曲片３２が空間部２７内に挿入し易くなり、さらに空間部２７の上方に向けて挿し込むことで、図４（ａ）に示されるように、空間部２７に上向き屈曲片３２が収納されたとき、受部１８には収納具３１が定位置に仮止め載置される。このとき、弾性変形していた折曲片２１が元の位置に戻り、その弾性力により上向き屈曲片３２が空間部２７内で保持するので、より安定した仮止め状態が保たれている。尚、上向き屈曲片３２は冷蔵室８の前面から見えにくい上方位置に取り付けられるから、美観を損ねることもない。
【００２６】
ナイトカバー３０の仮止め状態においては、ボルト貫通孔２１ａとナット１７ａとの間にボルト貫通孔３２ａが重ね合う位置関係となっており、係着手段であるボルト２４を前方のボルト貫通孔２１ａからボルト貫通孔３２ａに向けて挿通し、ナット１７ａに螺着することで、図４（ｂ）に示されるように、上向き屈曲片３２が折曲片２１と傾斜部１７との間で締め込まれて連結固定されるとともに、受部１８に載置される収納具３１の位置が安定して保持され、ナイトカバー３０の取り付け作業が完了する。したがって、把手３６の操作により張架部３７を介してカバー体３８を引き出す際にも安定した操作を行える。
【００２７】
このように、ボルト２４で上向き屈曲片３２を固定する際には、予めナイトカバー３０が仮止め固定されていることから、ボルト２４の螺着時における作業の安全性が確保されており、ナイトカバー３０を空間部３０から取り外す際には、ボルト２４を上向き屈曲片３２から解除しても、仮止め状態が維持されることから、ナイトカバー３０の着脱による作業の安全性が保たれる。
【００２８】
以上の説明により実施例１では、空間部２７に上向き屈曲片３２を挿入して受部１８にナイトカバー３０を載置することで仮止めを行うことでき、この仮止めの状態によってナイトカバー３０を押えなくとも、係着手段であるボルト２４を用いて取着部である上向き屈曲片３２を固定できるので、ナイトカバー３０の固定作業および取り外し作業における安全性を維持しながら、これら作業を容易に行うことができる。
【実施例２】
【００２９】
次に、本発明の実施例２を図５に基づいて説明する。図５（ａ）は、ナイトカバーの取り付けを示す要部拡大断面図であり、図５（ｂ）は、ナイトカバーの固定作業を示す要部拡大断面図である。尚、以下の実施例２において前述の実施例１と同様の構造部分に関しては、同一の符号を付すことにより詳細な説明は省略することにする。
【００３０】
図５（ａ）に示されるように、キャノピー天板２０の折曲片２１の先端部は後方に向けて折り返して係止片２２を構成し、一方、ナイトカバー３０の上向き屈曲片３２の先端部には、空間部２７に収納可能な拡大頭部３３が形成されている。
【００３１】
そしてナイトカバー３０の仮固定の際は、空間部２７の下方から拡大頭部３３を折曲片２１の弾性変形を利用して、空間部２７内に挿し込んでいと、図５（ｂ）に示すように、係止片２２の先端に段部となっている拡大頭部３３が係合される。この仮止め状態においては、上向き屈曲片３２の空間部２７からの取り外れが拘束されるとともに、ナイトカバー３０の自重の一部が係止片２２を介して支持されるので安定した仮止め状態を維持できる。
【実施例３】
【００３２】
次に、本発明の実施例３を図６に基づいて説明する。図６（ａ）は、ナイトカバーの取り付けを示す要部拡大断面図であり、図６（ｂ）は、ナイトカバーの固定作業を示す要部拡大断面図である。尚、以下の実施例３において前述の実施例１と同様の構造部分に関しては、同一の符号を付すことにより詳細な説明は省略することにする。
【００３３】
図６（ａ）に示されるように、傾斜ブラケット１６の受部１８の前端には、上方を向く係止突起１８ａが設けられ、ナイトカバー３０の収納具３１には下方を向く係合突起３１ａが設けられている。そして、図６（ｂ）に示されるように、上向き屈曲片３２を空間部２７に挿し入れ仮止めした際に、係合突起３１ａを係止突起１８ａに掛止することで、受部１８からの収納具３１の取り外れが確実に防止され、仮止め状態がより良好な状態で維持される。
【００３４】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、キャノピー天板２０に傾斜部１７と平行な折曲片２１の弾性によって、上向き屈曲片３２を挿入し易く且つ折曲片２１で強固な仮止め状態を維持できることから好ましいが、本発明はこれに限定されるものではなく、折曲片２１を弾性のない部材で構成した場合には、上向き屈曲片３２を軟質の部材や弾性を有する部材で構成することで、空間部２７内に弾性変形させながら円滑に挿入することができる。
【００３５】
また、上記実施例では、収納具３１に上向き屈曲片３２を一体で設けたことで、ナイトカバー３０の複雑化が避けられることから好ましいが、本発明はこれに限定されるものではなく、例えば収納具３１に別体で上向き屈曲片３２を取り付けるようにしても良い。
【図面の簡単な説明】
【００３６】
【図１】本発明の実施例１におけるオープンショーケースの全体像を示す側断面図である。
【図２】キャノピー天板を傾斜ブラケットと外箱に組み付ける過程および組み付け前のナイトカバーを示す分解組立断面図である。
【図３】（ａ）は、キャノピー天板と傾斜ブラケットにナイトカバーを取り付ける際の作業開始位置を示す要部拡大断面図であり、（ｂ）は、ナイトカバーの取り付け作業の状態を示す要部拡大断面図である。
【図４】（ａ）は、ボルトでナイトカバーをキャノピー天板および傾斜ブラケットに固定する作業工程を示す断面図であり、（ｂ）は、ナイトカバーの固定後の状態を示す断面図である。
【図５】（ａ）は、本発明の実施例２におけるナイトカバーの取り付けを示す要部拡大断面図であり、（ｂ）は、ナイトカバーの固定作業を示す要部拡大断面図である。
【図６】（ａ）は、本発明の実施例３におけるナイトカバーの取り付けを示す要部拡大断面図であり、（ｂ）は、ナイトカバーの固定作業を示す要部拡大断面図である。
【符号の説明】
【００３７】
１                冷蔵ショーケース（オープンショーケース）
２                外箱
２ａ              係止爪
２ｂ              ネジ螺合穴
３                内箱
４                通風路
５                冷却装置
６                送風機
７                商品の陳列棚
８                冷蔵室
９                吸込口
１０              吹出口
１１              底板
１２              冷気
１３              各陳列棚用の照明装置
１４              冷蔵室内照明用の照明装置
１５              整流板
１６              傾斜ブラケット
１７              傾斜部
１７ａ            ナット
１８              受部
１８ａ            係止突起（実施例３）
１９              連結部
１９ａ            ネジ貫通孔
２０              キャノピー天板
２０ａ            ネジ貫通孔
２１              折曲片（後端部に形成された）
２１ａ            ボルト貫通孔
２２              係止片（実施例２）
２２ａ            ボルト貫通孔
２３              ネジ
２４              ボルト（係着手段）
２５              ノジング
２７              空間部
３０              ナイトカバー（実施例１〜３）
３１              収納具（実施例１）
３１ａ            係合突起（実施例３）
３２              上向き屈曲片（取着部）
３２ａ            ボルト貫通孔
３３              拡大頭部（実施例２）
３５              ナイトカバー本体
３６              把手
３７              張架部
３８              シート状のカバー帯
３９              自動巻取りバネが内蔵された回転軸
【図１】
0004841975.tif 000002
【図２】
0004841975.tif 000003
【図３】
0004841975.tif 000004
【図４】
0004841975.tif 000005
【図５】
0004841975.tif 000006
【図６】
0004841975.tif 000007